(57)【要約】  本発明は、個々のコードチャネルのパワーを判定し出力装置上に表示するＣＤＭＡ信号のコードチャネルのパワーを判定及び表示する分析装置及び方法に関するものである。個々のコードチャネルのパワーを同位相アーム（Ｉ）及び直交位相アーム（Ｑ）において個々に判定し、同位相アーム（Ｉ）のコードチャネルのパワー及び／又は直交位相アーム（Ｑ）のコードチャネルのパワーを表示する。同位相アーム（Ｉ）のコードチャネルのパワー表示においては、同位相アーム（Ｉ）においてはインアクティブであるが、直交位相アーム（Ｑ）においてはアクティブなコードチャネルを残りのコードチャネルと区別可能に表示する。直交位相アーム（Ｑ）のコードチャネルのパワー表示においては、直交位相アーム（Ｑ）においてはインアクティブであるが、同位相アーム（Ｉ）においてはアクティブなコードチャネルを残りのコードチャネルと区別可能に表示する。【選択図】      図３
2004289835.tif 000002
【特許請求の範囲】
【請求項１】
個々のコードチャネルのパワーを判定し出力装置（２０）上に表示するＣＤＭＡ信号のコードチャネルのパワーを判定及び表示する方法であって、
同位相アーム（７）及び直交位相アーム（８）において、個々のコードチャネルのパワーをそれぞれ判定する段階と、
前記同位相アーム（７）のコードチャネルのパワー及び／又は前記直交位相アーム（８）のコードチャネルのパワーを表示する段階と、
を有し、
前記同位相アーム（７）のコードチャネルのパワー表示において、前記同位相アーム（７）においてはインアクティブであるが、前記直交位相アーム（８）においてはアクティブなコードチャネルのパワーが、残りのコードチャネルのパワーと区別可能に表示され、及び／又は、
前記直交位相アーム（８）のコードチャネルのパワー表示において、前記直交位相アーム（８）においてはインアクティブであるが、前記同位相アーム（７）においてはアクティブなコードチャネルが、残りのコードチャネルと区別可能に表示されることを特徴とする方法。
【請求項２】
前記同位相アーム（７）及び前記直交位相アーム（８）の両方においてアクティブなコードチャネルは、それぞれ前記同位相アーム（７）又は前記直交位相アーム（８）のコードチャネルのパワーの個々の表示において、残りのコードチャネルと区別可能に表示されることを特徴とする請求項１記載の方法。
【請求項３】
前記同位相アーム（７）又はそれぞれの前記直交位相アーム（８）のコードチャネルのパワー表示において、グラフィックによる区別のために、前記同位相アーム（７）のみ又はそれぞれの前記直交位相アーム（８）のみにおいてアクティブなコードチャネル、前記同位相アーム（７）又はそれぞれの前記直交位相アーム（８）においてはインアクティブであるが、前記直交位相アーム（８）又はそれぞれの前記同位相アーム（７）においてはアクティブなコードチャネル、及び／又は両方のアーム（７、８）においてアクティブなコードチャネルのパワーが、色又はグラフィックによって個々に区別可能に表示されることを特徴とする請求項１又は２記載の方法。
【請求項４】
前記同位相アーム（７）及び／又は前記直交位相アーム（８）のコードチャネルのパワー表示は、それぞれ１つの図（２３、２４）によって実現されることを特徴とする請求項１乃至３のいずれかに記載の方法。
【請求項５】
前記同位相アーム（７）及び／又は前記直交位相アーム（８）のコードチャネルのパワー表示は、１つの図によって一緒に実現されることを特徴とする請求項１乃至３のいずれかに記載の方法。
【請求項６】
ＣＤＭＡ信号を受信する受信機装置（３〜６）と、個々のコードチャネルのパワーを計測するパワー計測装置（１８Ｉ、１８Ｑ）の前記受信信号を復調する変調器（９〜１２）と、前記個々のコードチャネルにおいて計測されたパワーを表示する出力装置（２０）と、を有するＣＤＭＡ信号を分析する分析装置（１）であって、
前記パワー計測装置（１８）により、同位相アーム（７）及び直交位相アーム（８）のコードチャネルのパワーを互いに別個に計測可能であり、
前記出力装置（２０）により、前記同位相アーム（７）及び／又は前記直交位相アーム（８）のコードチャネルのパワーを表示可能であり、
前記出力装置（２０）により、前記同位相アーム（７）のコードチャネルのパワー表示において、前記同位相アーム（７）においてはインアクティブであるが、前記直交位相アーム（８）においてはアクティブなコードチャネルを、残りのコードチャネルと区別可能に表示可能で、及び／又は、
前記出力装置（２０）により、前記直交位相アーム（８）のコードチャネルのパワー表示において、前記直交位相アーム（８）においてはインアクティブであるが、前記同位相アーム（７）においてはアクティブなコードチャネルを、残りのコードチャネルと区別可能に表示可能であることを特徴とする分析装置。
【発明の詳細な説明】
【技術分野】
【０００１】
本発明は、ＣＤＭＡ信号のコードチャネルのパワーを判定及び表示する方法及び分析装置に関するものである。
【背景技術】
【０００２】
コードチャネルのパワーを表示する方法は、例えば、特許文献１に開示されている。到来するＣＤＭＡ信号を復調した後に、個々のコードチャネルのパワーを判定し、バーチャートの形態で表示装置上に表示している。パワー以外にも（これは、個々のバーの高さに対応している）、追加情報として、特定のコードクラスとの関連性も表示される。このために、その表示においては、コードクラスが高い場合に、バーの幅を細くしている。また、好ましいことに、アクティブなコードチャネルのパワーは、塗りつぶしたバーによって表示する一方で、インアクティブなコードチャネルのパワーは、単純にダッシュによって表示している。
【０００３】
この特許文献１において提案されている方法の問題点は、それぞれのコードチャネルについて合計パワーしか表示されていないという点である。即ち、同位相アームと直交位相アームにおける分布は表示されていない。従って、例えば、ＣＤＭＡ２０００移動体無線システムの信号の場合に、これらのアームのいずれかがインアクティブであるかどうかを判定することができない。
【特許文献１】米国特許第６，２１９，３４０Ｂ１号明細書
【発明の開示】
【発明が解決しようとする課題】
【０００４】
本発明の目的は、コードチャネルのパワーに加え、これら２つのアームのアクティビティ及びインアクティビティを検出することもできるＣＤＭＡ信号のコードチャネルのパワーを判定及び表示する方法及び分析装置を生成することにある。
【課題を解決するための手段】
【０００５】
この目的は、請求項１に記載されている本発明による方法、並びに請求項６に記載されている本発明による分析装置によって達成される。
【０００６】
本発明による方法、並びに本発明による分析装置によれば、それぞれのコードチャネルごとに同位相アーム及び直交位相アームに関連するパワーが別個に判定される。そして、このように判定されたパワーは、同位相アーム及び／又は直交位相アームとの関連で表示され、この結果、２つのアームのそれぞれに対してコードチャネルのパワーを明確に割り当てることが可能になる。それぞれのアームのコードチャネルのパワー表示においては、当該アームの表示においてはインアクティブであるが、もう一方のアームの対応するコードチャネルにおいてはアクティブなコードチャネルのパワーが、残りのコードチャネルのパワーと区別可能に表示される。
【０００７】
この結果、例えば、１つのアームのインアクティブと推定されたコードチャネルにおける驚くほどに大きなパワーの原因が、もう一方のアームの対応するコードチャネルのクロストークにあることを特定できるようになる。実際にインアクティブなコードチャネルは特定のレベルを超過してはならないため、これは、特に、インアクティブなコードチャネルのパワーを評価する際に有用である。例えば、実際に純粋な同位相成分を有する信号が、不完全な直交性のために直交位相成分をも有している場合には（或いは、この逆には）、アームの「擬似インアクティブ」コードチャネルが生成され、この結果、もう一方のアーム上において、実際にアクティブなコードチャネルのパワー成分が計測されることになるのである。
【０００８】
本発明による方法の有利な拡張例は、従属項において実施されている。
【０００９】
表示されているアームにおいてはインアクティブであるが、もう一方のアームにおいてはアクティブなコードチャネルのパワーを区別可能に表示するだけでなく、両方のアームにおいてアクティブなチャネルのパワーを残りのコードチャネルのパワーと区別可能に表示することは、特に有利である。この結果、どのコードチャネルにおいてどのアームがアクティブであるのかに関するすべての情報を１つのアームの表示において取得できるようになる。
【００１０】
更なる有利な実施例によれば、同位相アーム及び直交位相アームのコードチャネルのパワーを別個の図において個々に表示している。このような２つのアームの表示形態は、極めて明瞭であり、この結果、非常に迅速に情報を検出できるようになる。
【００１１】
この代わりに、１つの同じ図において、例えば、３次元表現や互いに隣接配置されたバーの形態により、同位相アームと直交位相アームのコードチャネルのパワーを表示することも有利である。この結果、同じ１つの図に、コードチャネルのアクティビティと個々のパワーレベルに関するすべての情報が同様に含まれることになる。このような表示は、例えば、表示装置の残りの領域に追加情報を表示する場合などのように、２つのアームの表示がいずれも同様に重要であるが、表示装置上において小さなスペースしか使用できない場合に、特に有利である。
【００１２】
上記の通り、本発明の方法は、請求項１に記載の通り、個々のコードチャネルのパワーを判定し出力装置（２０）上に表示するＣＤＭＡ信号のコードチャネルのパワーを判定及び表示する方法であって、同位相アーム（７）及び直交位相アーム（８）において、個々のコードチャネルのパワーをそれぞれ判定する段階と、前記同位相アーム（７）のコードチャネルのパワー及び／又は前記直交位相アーム（８）のコードチャネルのパワーを表示する段階と、を有し、前記同位相アーム（７）のコードチャネルのパワー表示において、前記同位相アーム（７）においてはインアクティブであるが、前記直交位相アーム（８）においてはアクティブなコードチャネルのパワーが、残りのコードチャネルのパワーと区別可能に表示され、及び／又は、前記直交位相アーム（８）のコードチャネルのパワー表示において、前記直交位相アーム（８）においてはインアクティブであるが、前記同位相アーム（７）においてはアクティブなコードチャネルが、残りのコードチャネルと区別可能に表示されることを特徴とする。
また、請求項２に記載の本発明は、請求項１に記載の方法において、前記同位相アーム（７）及び前記直交位相アーム（８）の両方においてアクティブなコードチャネルは、それぞれ前記同位相アーム（７）又は前記直交位相アーム（８）のコードチャネルのパワーの個々の表示において、残りのコードチャネルと区別可能に表示されることを特徴とする。
また、請求項３に記載の本発明は、請求項１又は２記載の方法において、前記同位相アーム（７）又はそれぞれの前記直交位相アーム（８）のコードチャネルのパワー表示において、グラフィックによる区別のために、前記同位相アーム（７）のみ又はそれぞれの前記直交位相アーム（８）のみにおいてアクティブなコードチャネル、前記同位相アーム（７）又はそれぞれの前記直交位相アーム（８）においてはインアクティブであるが、前記直交位相アーム（８）又はそれぞれの前記同位相アーム（７）においてはアクティブなコードチャネル、及び／又は両方のアーム（７、８）においてアクティブなコードチャネルのパワーが、色又はグラフィックによって個々に区別可能に表示されることを特徴とする。
また、請求項４に記載の本発明は、請求項１乃至３のいずれかに記載の方法において、前記同位相アーム（７）及び／又は前記直交位相アーム（８）のコードチャネルのパワー表示は、それぞれ１つの図（２３、２４）によって実現されることを特徴とする。
また、請求項５に記載の本発明は、請求項１乃至３のいずれかに記載の方法において、前記同位相アーム（７）及び／又は前記直交位相アーム（８）のコードチャネルのパワー表示は、１つの図によって一緒に実現されることを特徴とする。
また、本発明の分析装置は、請求項６に記載の通り、ＣＤＭＡ信号を受信する受信機装置（３〜６）と、個々のコードチャネルのパワーを計測するパワー計測装置（１８Ｉ、１８Ｑ）の前記受信信号を復調する変調器（９〜１２）と、前記個々のコードチャネルにおいて計測されたパワーを表示する出力装置（２０）と、を有するＣＤＭＡ信号を分析する分析装置（１）であって、前記パワー計測装置（１８）により、同位相アーム（７）及び直交位相アーム（８）のコードチャネルのパワーを互いに別個に計測可能であり、前記出力装置（２０）により、前記同位相アーム（７）及び／又は前記直交位相アーム（８）のコードチャネルのパワーを表示可能であり、前記出力装置（２０）により、前記同位相アーム（７）のコードチャネルのパワー表示において、前記同位相アーム（７）においてはインアクティブであるが、前記直交位相アーム（８）においてはアクティブなコードチャネルを、残りのコードチャネルと区別可能に表示可能で、及び／又は、前記出力装置（２０）により、前記直交位相アーム（８）のコードチャネルのパワー表示において、前記直交位相アーム（８）においてはインアクティブであるが、前記同位相アーム（７）においてはアクティブなコードチャネルを、残りのコードチャネルと区別可能に表示可能であることを特徴とする。
【発明を実施するための最良の形態】
【００１３】
本発明による方法、並びに本発明による分析装置については、添付の図面に図示されると共に、本明細書において詳細に説明されている。添付図面は、以下のとおりである。
【００１４】
図１には、本発明による分析装置１が示されている。例えば、アンテナ２を介し、ＣＤＭＡ信号を分析装置１に供給する。このために、高周波部３には、高周波信号を供給可能な、例えば、アンテナや図示されてはいない計測ライン用の対応する接続が形成されている。
【００１５】
この高周波信号と第１ミキサ５においてミキシングされる周波数を第１局部発振器４によって生成している。このように中間周波数にミックスダウンされた信号は、中間周波数部６において更に処理された後に、最終的に同位相アーム７及び直交位相アーム８に供給される。
【００１６】
同位相アーム７においては、中間周波数信号は、第２局部発振器１０によって生成された信号と同位相ミキサ９においてミキシングされ、ベースバンドとなる。同様に、直交位相アーム８内には、直交ミキサ１１が配設されており、このミキサ１１は、到来する中間周波数信号を第２局部発振器１０の信号とミキシングし、この信号が、９０°位相シフタ１２によって位相シフトしてベースバンドとなる。
【００１７】
このように生成された同位相アーム７及び直交位相アーム８のベースバンド信号は、低域通過フィルタ１３又は１４によって、それぞれ高周波成分が除去された後に、最終的に、同位相アーム７の場合には、同位相Ａ／Ｄコンバータ１５に、一方、直交位相アーム８の場合には、直交Ａ／Ｄコンバータ１６に、それぞれ供給される。そして、これらの同位相アーム７及び直交位相アーム８のデジタル信号が、パワー計測装置１８を含む評価ユニット１７に供給される。パワー計測装置１８は、同位相パワー計測部１８Ｉと直交位相パワー計測部１８Ｑを有しており、これらは、ＣＤＭＡ信号のそれぞれのコードチャネルごとに、例えば、個々のコードチャネルの読取値を二乗したものを合計することにより、同位相アーム７及び直交位相アーム８のパワーをそれぞれ別個に判定することができる。
【００１８】
この同位相アーム７及び直交位相アーム８のコードチャネルのパワーレベルに関する情報は、出力部が表示装置２０に接続された表示制御装置１９に供給される。表示装置２０は、この図示の実施例において示されているように、分析装置１に内蔵されたディスプレイであるか、さもなければ、例えば、評価装置１７に接続された外部モニタである。
【００１９】
例えば、ＣＤＭＡ２０００規格に準拠した移動体無線システムを使用し、互いに独立的にそれぞれ同位相アーム７及び直交位相アーム８用の伝送信号を生成する場合には、ＢＰＳＫ（Ｂｉｎａｒｙ  Ｐｈａｓｅ  Ｓｈｉｆｔ  Ｋｅｙｉｎｇ）変調を実装する。これは、それぞれのコードチャネルごとに、同位相アーム７及び直交位相アーム８が互いに独立的にアクティブになり得ることを意味している。当然のことながら、両方のアームがインアクティブになることも可能であり、両方のアームが同時にアクティブになることも可能である。
【００２０】
これは、評価ユニット１７の観点からすれば、変調及び復調が理想的なものであり、且つ１つのコードチャネルについて直交位相アーム８のみがアクティブなケースにおいては、同位相パワー計測部１８Ｉにおいて１つの雑音パワーのみが計測可能であることを意味することになろう。しかしながら、実際には、送信機側の変調器と受信機側の復調器の動作は、いずれも理想的なものにはならないため、１つのコードチャネルの同位相アーム７において、雑音パワーを逸脱するパワーが発生することになり、このパワーは、このコードチャネルの直交位相アーム８に基づいたものである。この逆に、１つのコードチャネルのアクティブな同位相アーム７によっても、このコードチャネルにおいて実際にインアクティブな直交位相アーム８にパワーが発生することになる。これは、それぞれの関連するアームにおける擬似インアクティブコードチャネルと呼ばれている。
【００２１】
図２には、このような１つのコードチャネルの実際にインアクティブなアームにおけるアクティブアームからのクロストークの発生について概略的に示されている。３つの異なるメカニズムが、それぞれもう一方のアームにおけるクロストークに結び付いている。
【００２２】
図２には、変調器のＩ−Ｑ図２１と受信機側の対応する復調器のＩ’−Ｑ’図２１’が示されている。座標系２１及び２１’の２つの原点２２及び２２’間の逸脱（「ずれ」）に加え、受信機の同相軸Ｉ’と直交軸Ｑ’間に不完全な直交性が更に存在していること（「不均衡」）が見て取れる。送信機の直交軸Ｑと受信機の直交軸Ｑ’について図２に示されているように、同位相アーム７又は直交位相アーム８の増幅率の変化によって引き起こされる座標系のスケールの変化（「減損」）も、エラーを引き起こす第３の原因と見なすことができる。
【００２３】
図３には、一例として、同位相アーム７のコードチャネルのパワーを示す第１図２３が示されている。一方、第２図２４には、これと対応する表現により、直交位相アーム８のコードチャネルのパワーがそれぞれプロットされている。これらの第１及び第２図２３及び２４は、例えば、この図示の様式により、表示装置２０上に同時に表示可能である。
【００２４】
同位相アーム７のパワー表示においては、ｘ軸に配列されたバー２５により、個々のコードチャネルのパワーを示している。ｙ軸には、対数スケールを選択することが好ましい。これらのバー２５の高さは、同位相アーム７の同位相パワー計測部１８Ｉによって判定された個々のコードチャネルのパワーを示している。この図示の図２３においては、同位相アーム７において個々に計測したコードチャネル０〜１５のパワーをバー２５として示しているが、チャネル番号がｘ軸上にプロットされているこれらのコードチャネル０〜２５は、このケースにおいては、特定のコードクラスのコードチャネルである。わかりやすくするべく、その他のコードクラスの更なるコードチャネルの表示は省略されている。
【００２５】
この図示の実施例において、コードチャネル０のパワーは、バー２５．０によって示されている。これは、例えば、図３においては、内部を点によって塗りつぶしたバー２５．０によって示されているように、特定の塗りつぶし色によるか、或いは特定の塗りつぶしパターンによって実現することができる。この点による塗りつぶしは、第１図においては、同位相アーム７においてのみアクティブなコードチャネルのパワーの表示にそれぞれ使用されている。
【００２６】
一方、これとは対照的に、同位相アーム７のコードチャネル２の計測パワーに対応するバー２５．２は、異なる塗りつぶし色のハッチング又は異なる塗りつぶしパターンによる実施例によって示されている。このようなハッチングによる塗りつぶしは、第１図２３においては、同位相アーム７はインアクティブであるが、直交位相アーム８はアクティブであるそれぞれのバー２５に対して提供されている。従って、同位相アーム７の個々のコードチャネルにおいて実際に計測されたパワーがどの程度大きいか、及び直交位相アーム７のクロストークに起因するパワー成分が実際に存在しているかどうかは、この表示の選択には無関係である。決め手となる基準は、実際のアクティビティが、２つのアームのいずれにおいてもっぱら存在しているかという点にある。
【００２７】
従って、実際のアクティビティが、同位相アーム７と直交位相アーム８の両方において発生しているコードチャネルの場合には、更なるグラフィックによる区別を施すことが可能である。これは、図３においては、例えば、ライトグレーのクロスハッチングの塗りつぶしパターンによって塗りつぶされたバー２５．１１において示されている。この代わりに、異なる塗りつぶし色を使用することも可能である。そして、同位相アーム７と直交位相アーム８の両方においてコードチャネルがインアクティブな残りのバーは、例えば、異なる塗りつぶし色又は異なる塗りつぶしパターンにより、残りのバーからグラフィックによって区別可能に示されている。これは、図示の実施例においては、ダークグレーの塗りつぶし色によって実行されている。
【００２８】
直交位相アーム８のコードチャネルの計測パワーを示す第２図２４においては、コードチャネル０のパワーは、対応するバー２６．０のハッチングによって示されている。
【００２９】
第１図２３に関連する実施例との対応において、直交位相アーム８の第２図２４においては、かかるマーキング法により、直交位相アーム８においては、この対応するコードチャネルはインアクティブであるが、同位相アーム７においては、コードチャネル０のアクティビティが発生していることを示している。従って、バー２５．２及び２６．０の塗りつぶしパターン又は個々の塗りつぶし色は同一のものなっている。
【００３０】
尚、直交位相アーム８の擬似インアクティブコードチャネルの表示においては、実際に計測されたパワーが純粋な雑音パワーであるかどうか、或いは、アクティブな同位相アーム７のクロストークによって生成されたパワー成分が含まれているかどうかという点は考慮されていないという事実を参照されるべきである。
【００３１】
同様に、第２図２４においては、直交パワー計測部１８Ｑにおいて判定された直交位相アーム８のコードチャネル２のパワーを示しているバー２６．２は、点による塗りつぶし又は別の塗りつぶし色によって示されており、これにより、直交位相アーム８におけるコードチャネル２は、実際にアクティブであり、同位相アーム７のコードチャネル２においてはアクティビティが発生していないことを示している。従って、バー２６．２及び２５．０の塗りつぶしパターン又は個々の塗りつぶし色は同一になっている。
【００３２】
バー２６．１１のライトグレーの塗りつぶしパターンは、同位相アーム７及び直交位相アーム８の両方におけるコードチャネル１１の二重のアクティビティを再度示している。この二重のアクティビティに対応し、コードチャネル１１の表示は、バー２５．１１及び２６．１１によって実現されており、それぞれバー２５．１１及び２６．１１は、同一の塗りつぶしパターン又は同一の塗りつぶしカラーによって塗りつぶされている。
【００３３】
残りのコードチャネルは、ダークグレーのクロスハッチング又は異なる塗りつぶし色によって塗りつぶされており、従って、これらのコードチャネルにおいては、同位相アーム７又は直交位相アーム８のいずれにおいてもアクティビティが存在していないことを示している。
【００３４】
この第１図２３及び第２図２４におけるバー２５及び２６の対応する塗りつぶしの使用法から、第１図２３において、点によって塗りつぶしたバー２５によって示されているコードチャネルは、第２図２４においては、ハッチングされたバー２６によって示されていることがわかる。逆に、ハッチングされたバー２５によって示されている第１図２３のコードチャネルは、第２図２４においては、点による塗りつぶしによって示されている。
【００３５】
当然のことながら、この図示の様式によってバー２５及び２６を塗りつぶす代わりに、その他のグラフィックによる区別も考えられる。特に、アクティブ、擬似アクティブ、及び二重アクティブなコードチャネルについては、ディスプレイにおいて、それぞれ１つの特定の色を使用することができる。同様に、擬似インアクティブコードチャネルは、両方のアームにおいてインアクティブなコードチャネルと同一の塗りつぶしによって表示し、区別可能にするべく、個々の擬似インアクティブコードチャネルを、例えば、バーのきらめきによって表示することができる。また、バーは、明確に別個に表示する必要はなく、例えば、コードチャネル番号をグラフィックによって区別可能に示すだけでも十分である。
【００３６】
第１図２３と第２図２４に分かれている同位相アーム７及び直交位相アーム８のコードチャネルのパワーの好適な表示とは対照的に、例えば、同位相アーム７及び直交位相アーム８を第３の軸方向にプロットした３次元などの単一の図を使用することも同様に可能である。別の可能な表示法としては、それぞれのアームごとにバーを生成し、それをそれぞれのコードチャネルごとに、それぞれ互いに直接隣接させて１つの同じ図内に表示する方法がある。
【図面の簡単な説明】
【００３７】
【図１】本発明による分析装置の概略図である。
【図２】擬似インアクティブコードチャネルの原因を示す概略図である。
【図３】同位相アーム及び直交位相アームの計測パワーの一例を示す図である。
【符号の説明】
【００３８】
１    分析装置
２    アンテナ
３    高周波部
５    第１ミキサ
７    同位相アーム
８    直交位相アーム
１０    第２局部発振器
１１    直交ミキサ
１３    低域通過フィルタ
１４    低域通過フィルタ
１５    同位相Ａ／Ｄコンバータ
１６    直交Ａ／Ｄコンバータ
１７    評価ユニット
１８    パワー計測装置
１９    表示制御装置
２０    表示装置
２１    座標系
２２    原点
２３    第１図
２４    第２図
２５    バー
２６    バー
【図１】
2004289835.tif 000003
【図２】
2004289835.tif 000004
【図３】
2004289835.tif 000005